(57)【要約】  流体磁気処理ユニットおよび処理方法が開示される。流体は、環状磁石によって発生した磁力線に対して常に垂直な流れの方向に、少なくとも１つの環状磁石を通って、かつ環状磁石の表面にぴったりと沿って流れる。流体は、直列、並列、または直列および並列の任意の組合せで流れる。環状磁石は、リング磁石、円板磁石またはリング状電磁石であってよい。磁気処理効果を最大にするために、環状磁石は、好ましくは流体の流れの方向に対向する方向にスピンするように駆動される。
2009533219.tif 000002
【特許請求の範囲】
【請求項１】
流体磁気処理ユニットであって、
外壁と、頂部と、底部とを有するハウジングであり、該外壁と、該頂部と、該底部とが前記外壁内にチャンバを画成しているハウジングであって、前記ハウジングが、中心縦軸と、前記軸に沿って間隔を置いた１対の対向する端部と、を有し、前記ハウジングは、流体が前記チャンバを通って流れることができるようにするために、前記一端に流体入口と、前記同一の端部または他方の端部に流体出口と、を有して形成されている、ハウジングと；
前記チャンバ内に設置された少なくとも１つの環状磁石であって、前記環状磁石が前記軸に関して前記チャンバ内を垂直方向に延在している、環状磁石と；
前記流体が前記環状磁石の少なくとも１つの環状面に沿って環状に流れることができるようにするための、前記環状磁石の上および下に設置された頂部仕切壁および底部仕切壁と、
を備える、流体磁気処理ユニット。
【請求項２】
前記環状磁石が静止している、請求項１に記載のユニット。
【請求項３】
前記環状磁石が回転手段によって直接的または間接的にスピンするように回転可能に駆動される、請求項１に記載のユニット。
【請求項４】
前記スピン方向が前記流体の流れの方向に対向している、請求項３に記載のユニット。
【請求項５】
粒状の磁鉄鉱が前記環状磁石の環状面に沿って置かれている、請求項１に記載のユニット。
【請求項６】
環状磁石を備える、請求項１に記載のユニット。
【請求項７】
前記流体が、前記環状磁石の環状面に沿って並列または直列に環状に流れる、請求項６に記載のユニット。
【請求項８】
前記流体が、等しい流れに分流し、かつ前記環状磁石の少なくとも１つの環状面に沿って並列に環状に半回転流れる、請求項６に記載のユニット。
【請求項９】
少なくとも１対の環状磁石を備える、請求項１に記載のユニット。
【請求項１０】
前記１対の環状磁石が、隣接する環状磁石の同一極性が互いに対向するように位置づけられている、請求項９に記載のユニット。
【請求項１１】
前記流体が、前記環状磁石の両方の極に沿って並列または直列に環状に流れる、請求項１０に記載のユニット。
【請求項１２】
前記流体が、等しい流れに分流し、かつ前記環状磁石の両方の極に沿って並列に環状に半回転流れる、請求項１０に記載のユニット。
【請求項１３】
前記流体が、前記環状磁石の同一極に沿って並列または直列に環状に流れる、請求項１０に記載のユニット。
【請求項１４】
前記流体が、等しい流れに分流し、かつ前記環状磁石の同一極に沿って並列に環状に半回転流れる、請求項１０に記載のユニット。
【請求項１５】
前記流体が、前記環状磁石の環状面に沿って並列または直列に環状に流れる、請求項１０に記載のユニット。
【請求項１６】
前記流体が、等しい流れに分流し、かつ前記環状磁石の環状面に沿って並列に環状に半回転流れる、請求項１０に記載のユニット。
【請求項１７】
前記１対の環状磁石が、隣接する環状磁石の反対の極性が互いに対向するように位置づけられている、請求項９に記載のユニット。
【請求項１８】
前記流体が、前記環状磁石の両方の極に沿って並列または直列に環状に流れる、請求項１７に記載のユニット。
【請求項１９】
前記流体が、等しい流れに分流し、かつ前記環状磁石の両方の極に沿って並列に環状に半回転流れる、請求項１７に記載のユニット。
【請求項２０】
前記流体が、前記環状磁石の環状面に沿って並列または直列に環状に流れる、請求項１７に記載のユニット。
【請求項２１】
前記流体が、等しい流れに分流し、かつ前記環状磁石の環状面に沿って並列に環状に半回転流れる、請求項１７に記載のユニット。
【請求項２２】
前記環状磁石が、リング磁石、円板磁石またはリング状電磁石である、請求項６に記載のユニット。
【請求項２３】
前記環状磁石が、リング磁石、円板磁石またはリング状電磁石である、請求項９に記載のユニット。
【請求項２４】
流体磁気処理ユニットであって、
外壁と、頂部と、底部とを有するハウジングであり、該外壁と、該頂部と、該底部とが前記外壁内にチャンバを画成しているハウジングであって、前記ハウジングが、中心縦軸と、前記軸に沿って間隔を置いた１対の対向する端部と、を有し、前記ハウジングは、流体が前記チャンバを通って流れることができるようにするために、前記一端に流体入口と、前記同一の端部または他方の端部に流体出口と、を有して形成されている、ハウジングと；
前記チャンバ内に設置された少なくとも１つの環状磁石であって、前記環状磁石が、前記軸に関して前記チャンバ内を垂直方向に延在しており、前記環状磁石が、前記磁石の両極上に、磁性材料から作られたカバーの第１のセットと、前記磁石の他方の環状面上に、非磁性材料から作られたカバーの第２のセットと、を有する、少なくとも１つの環状磁石と；
前記流体が前記環状磁石の少なくとも１つの環状面に沿って環状に流れることができるようにするための、前記環状磁石の上下に設置された頂部仕切壁および底部仕切壁と、
を備える、流体磁気処理ユニット。
【請求項２５】
前記環状磁石が静止している、請求項２４に記載のユニット。
【請求項２６】
前記環状磁石が、回転手段によって直接的または間接的にスピンするように回転可能に駆動される、請求項２４に記載のユニット。
【請求項２７】
前記スピン方向が前記流体の流れの方向に対向する、請求項２６に記載のユニット。
【請求項２８】
粒状の磁鉄鉱が前記環状磁石の環状面に沿って置かれている、請求項２４に記載のユニット。
【請求項２９】
環状磁石を備える、請求項２４に記載のユニット。
【請求項３０】
前記流体が前記環状磁石の環状面に沿って並列または直列に環状に流れる、請求項２９に記載のユニット。
【請求項３１】
前記流体が、等しい流れに分流し、かつ前記環状磁石の少なくとも１つの環状面に沿って並列に環状に半回転流れる、請求項２９に記載のユニット。
【請求項３２】
少なくとも１対の環状磁石を備える、請求項２４に記載のユニット。
【請求項３３】
前記１対の環状磁石が、隣接する環状磁石の同一極性が互いに対向するように位置づけられている、請求項３２に記載のユニット。
【請求項３４】
前記流体が前記環状磁石の両方の極に沿って並列または直列に環状に流れる、請求項３３に記載のユニット。
【請求項３５】
前記流体が、等しい流れに分流し、かつ前記環状磁石の両方の極に沿って並列に環状に半回転流れる、請求項３３に記載のユニット。
【請求項３６】
前記流体が、前記環状磁石の同一極に沿って並列または直列に環状に流れる、請求項３３に記載のユニット。
【請求項３７】
前記流体が、等しい流れに分流し、かつ前記環状磁石の同一極に沿って並列に環状に半回転流れる、請求項３３に記載のユニット。
【請求項３８】
前記流体が、前記環状磁石の環状面に沿って並列または直列に環状に流れる、請求項３３に記載のユニット。
【請求項３９】
前記流体が、等しい流れに分流し、かつ前記環状磁石の環状面に沿って並列に環状に半回転流れる、請求項３３に記載のユニット。
【請求項４０】
前記１対の環状磁石が、隣接する環状磁石の反対の極性が互いに対向するように位置づけられている、請求項３２に記載のユニット。
【請求項４１】
前記流体が、前記環状磁石の両方の極に沿って並列または直列に環状に流れる、請求項４０に記載のユニット。
【請求項４２】
前記流体が、等しい流れに分流し、かつ前記環状磁石の両方の極に沿って並列に環状に半回転流れる、請求項４０に記載のユニット。
【請求項４３】
前記流体が、前記環状磁石の環状面に沿って並列または直列に環状に流れる、請求項４０に記載のユニット。
【請求項４４】
前記流体が、等しい流れに分流し、かつ前記環状磁石の環状面に沿って並列に環状に半回転流れる、請求項４０に記載のユニット。
【請求項４５】
前記環状磁石が、リング磁石、円板磁石またはリング状電磁石である、請求項２９に記載のユニット。
【請求項４６】
前記環状磁石が、リング磁石、円板磁石またはリング状電磁石である、請求項３２に記載のユニット。
【請求項４７】
前記カバーの第１のセットのための前記磁性材料がフェライトであり、前記カバーの第２のセットのための前記非磁性材料がプラスチックである、請求項２４に記載のユニット。
【請求項４８】
流体を磁気的に処理するための方法であって、前記方法が、流体の流れを、請求項１に記載の液体処理ユニット内に搭載された環状磁石によって発生した磁力線に対し垂直に差し向けるステップを備える、方法。
【請求項４９】
前記環状磁石を回転手段によって直接的または間接的にスピンするように回転可能に駆動させるステップをさらに備える、請求項４８に記載の方法。
【請求項５０】
前記スピン方向が前記流体の流れの方向に対向している、請求項４９に記載の方法。
【請求項５１】
前記環状磁石が、リング磁石、円板磁石またはリング状電磁石である、請求項４８に記載の方法。
【発明の詳細な説明】
【技術分野】
【０００１】
発明の分野
本発明は、環状磁石（複数可）によって発生した磁力線に対して常に垂直であり、かつ環状磁石（複数可）の表面にぴったりと沿った流れの方向を有する流体を、磁気的に処理するための機器および方法であって、上記流体が、直列、並列、または直列および並列の任意の組合せで流れ、特に、環状磁石（複数可）を好ましくは流体の流れの方向に対向する方向に任意にスピンさせることによって、磁気処理の効果を最大にする、流体を磁気的に処理するための機器および方法に関する。
【背景技術】
【０００２】
発明の背景
本発明より以前から、磁気処理ユニットを通過する流体は流体分子を活性化することが、知られてきた。流体分子の活性化の効率は、流体が磁気処理ユニットを通過する仕方に依存する。
【０００３】
米国特許第５８８２５１４号は、リング磁石または円板磁石の積層体を備える、流体を磁気的に処理するための機器であって、流体が、機器の内部または外部を、それぞれ螺旋状に通って通過する機器を開示している。この方法は、流体の流れの方向を磁力線に対しほぼ４５度であるが磁力線に対し決して垂直ではない角度にすることで、流体が機器を通過する所要時間を延長する。米国特許第６７５２９２３号は、流体が機器の内部を通って螺旋状に機器を通過する、リング磁石の積層体を備える同様の機器を開示している。米国特許第５８８２５１４号と同様に、流体が機器を通過する所要時間は、流体の流れの方向を磁力線に対しほぼ４５度であるが磁力線に対し決して垂直ではない角度にすることで延長される。米国特許第４９３５１３３号は、リング磁石の積層体を備える、流体を磁気的に処理するための機器であって、流体がリング磁石の内側からラジカリー（ｒａｄｉｃａｌｌｙ）に機器を通過する、機器を開示している。この方法により、流体の流れの方向が磁力線に対し常に垂直となることが確実になるが、所要時間は延長されない。米国特許第５８６６０１０号は、リング磁石の積層体を備える、流体を磁気的に処理するための同様の機器であって、流体が、積層されているリング磁石を１つずつ直列状態でラジカリーに通過する、機器を開示している。この方法により、流体の流れの方向が常に磁力線に対し垂直となり、所要時間が大きく延長されることが確実になる。それにもかかわらず、まだ改良の余地がある。
【発明の開示】
【発明が解決しようとする課題】
【０００４】
したがって、従来技術の磁気流体処理ユニットに関連した欠点をなくし、またこれらの欠点を改善する、流体磁気処理ユニットを設計することは有利である。
【課題を解決するための手段】
【０００５】
発明の概要
本発明は、環状磁石（複数可）によって発生した磁力線に対して常に垂直な流れの方向と、環状磁石（複数可）の表面にぴったりと沿った流れと、を有する流体を、磁気的に処理するための機器および方法であって、上記流体が、直列、並列、または直列および並列の任意の組合せで流れる、機器および方法に関する。磁気処理効果を最大にするために、環状磁石（複数可）は、好ましくは流体の流れの方向に対向する方向にスピンするように駆動される。
【０００６】
本発明は、環状磁石の積層体を備える、流体を磁気的に処理するための機器を開示する。環状磁石は、リング磁石、円板磁石またはリング状電磁石であってよい。リング磁石の場合、４つ（４）の環状面―上部、下部、内側、および外側の環状面―がある。機器は、入口と、出口と、少なくとも１つのリング磁石（複数可）と、を有するハウジングを含む。流体は、入口を通ってハウジングに流入し、次いで、各リング磁石の環状面に沿って環状に流れ、最終的に、出口を通ってハウジングを出る。流体は、並列状態の各リング磁石の各環状面に沿って環状に流れ、上記流体は、直列または並列および直列の任意の組合せで流れる。例えば、リング磁石の平均径が２インチ、厚さ０．２５インチの場合、流体がリング磁石を通って垂直に流れると、有効距離は０．２５インチのみであり、かつ流体の流れの方向が、リング磁石によって発生した全ての磁力線に対して常に垂直であるというわけではない。流体がリング磁石の各環状面に沿って環状に直列に流れると、この場合、有効距離は２５．１３インチ（４×２×３．１４１６）となり、これは上述の１００倍以上であり、しかも、流体の流れの方向は、リング磁石によって発生した全ての磁力線に対して常に垂直である。磁力線の強度の分布に関しては、位置がリング磁石の極に近ければ近いほど、磁力線の強度は強くなる。磁力線の強度は、距離の平方に反比例する。したがって、磁力線の強度は、リング磁石の上面および下面における方が、同一リング磁石の外面および内面における方より強く、特に、リング磁石の積層体が、隣接するリング磁石同士が対極を有する状態で、互いに対面するように位置づけられている場合には、そうである。したがって、各リング磁石の上部および／または下部の環状面のみに環状に沿った流体の流れを有し、上記流体が、直列、並列、または直列もしくは並列の任意の組合せで流れることが、より好ましい。
【０００７】
さらに、粒状の磁鉄鉱が磁石の表面に置かれる場合には、上記粒状の磁鉄鉱は、上記磁石の表面にしっかりと固着する一群の小さな磁石になり、磁鉄鉱のない上記磁石の表面の場合よりも、極めて多くの磁力線が、上記磁石の表面と上記磁鉄鉱の表面との両方から出る。したがって、環状チャネルに沿って均一に分配された粒状の磁鉄鉱を有する上記環状チャネルを通って流体が流れる場合には、上記流体は、極めて多くの磁力線を横切ることになる。したがって、環状チャネルに沿って均一に分配された磁鉄鉱を有する、上記環状チャネルに環状に沿った流体の流れを有することが、好ましい。
【０００８】
さらに、流体が環状磁石の環状面を通って並列に流れる場合、流体を２つの等しい流れに分流し、環状に半回転だけ流すことが、好ましい。この理由を以下に説明する。ｈおよびｄがそれぞれ環状チャネルの高さおよび直径であるとすると、この場合、流体が完全に環状に１回転流れることの効率は、ｄ／ｈＬに比例する。流体の流れの効率は、磁石の表面からの距離の平方に反比例し（すなわち１／ｈＬ）、かつ移動した距離（すなわちｄ）に正比例する。同じ流速を保つためには、環状チャネルの高さを０．５ｈまで低減させ、流体が２つの等しい流れへ分流し環状に半回転流れるようにする。したがって、流体を２つの等しい流れへ分流し、環状に半回転流すことの効率は、０．５ｄ／（０．５ｈ）Ｌ＝２ｄ／ｈＬに比例し、これは、流体が完全に環状に１回転流れる場合の２倍の効率である。
【０００９】
さらに、流体が、片側にリング磁石の１つの極を有する環状チャネルを通って流れ、反対側はパーティションだけであり、かつこの流体分子を活性化する効率が１である場合、同一の流体が、環状チャネル一方の側にリング磁石の１つの極を有しかつ同一の環状チャネルの反対側に別のリング磁石の他の極を有する同一の環状チャネルを通って流れると、流体分子を活性化する効果は４倍になる。したがって、環状チャネルの両側にリング磁石の両極を有した状態で流体が環状に流れることが、より好ましい。
【００１０】
また、上下の環状面の代わりに外側および内側の環状面に両極を有するリング磁石を有することができることも、理解されたい。流体に磁石の両方の極を通過させることはより
有利であるが、Ｓ極を通過する流体とＮ極を通過する流体との間では、流体分子の活性化の効率に差がある。磁気の研究により、Ｎ極エネルギとＳ極エネルギとの間に有意差があることが明らかになっている。Ｎ極エネルギは、反時計回りのスピンを有し、かつエネルギを与える。Ｓ極エネルギは時計回りのスピンを有し、かつエネルギを吸収する。したがって、流体が３つの異なる仕方でリング磁石を通過することが必要である。すなわち、両方の極を通過する流体、Ｓ極を通過する流体、およびＮ極を通過する流体である。さらに、リング磁石の積層体は、好ましくは流体の流れの方向に対向する方向にスピンするように駆動される様なやり方で、配置され得る。例えば、流体が１秒につき１回転の速度で流れ、かつリング磁石の積層体が１秒につき１００回転反対方向にスピンするように駆動される場合には、効率は１００倍改善される。
【００１１】
変更例では、上述の機器において、リング磁石の積層体をリング状電磁石の積層体に置換することができ、結果は同じである。
【００１２】
更なる変更例では、上述の機器において、リング磁石の積層体を円板磁石の積層体に置換することができ、結果は、４つ（４）の環状面（上部、下部、内側および外側の環状面）の代わりに３つ（３）の環状面（上部、下部および外側の環状面）しかないことを除いては、上述と同じである。
【００１３】
本発明の利点および特徴を、添付図面に関連して本発明の以下の好ましい実施形態の説明を参照しながら、さらに明らかにする。添付図面において、同等の要素には同等の参照符号が適用されている。
【発明を実施するための最良の形態】
【００１４】
好ましい実施形態の詳細な説明
流体を磁気的に処理するための流体磁気処理ユニットであって、この流体が該ユニットを通って流れるユニットを、本願明細書において開示する。このユニットは、入口と、出口と、少なくとも１つの環状磁石と、を有するハウジングを備える。流体は、入口を通ってハウジングへ流れ、次いで、各環状磁石の環状面に沿って環状に流れ続け、最終的に、出口を通ってハウジングを出る。流体は、各環状磁石の各環状面に沿って環状に流れ、上記流体は、直列、並列、または直列および並列の任意の組合せで流れる。磁気処理効果を最大にするために、環状磁石は、好ましくは流体の流れの方向に対向する方向にスピンするように駆動される。この点に関し、環状磁石は、流体通路のハウジングに接触せずにハウジング内に位置づけられており、したがって、自由にスピンできるようになっている。環状磁石は、例えば流体の流れによって駆動されるモータまたはタービンと結合することや、他の任意の一般に許容できる方法などの回転手段によって、直接的または間接的に回転可能にスピンさせられ得る。
【００１５】
本発明の処理ユニットを採用している流体の磁気処理のための方法もまた、開示する。
図１を参照すると、概略図が、流体の流れの方向と、磁石によって発生した磁力線の方向との関係に及ぼす処理効果を示している。処理効果は、流体の流れが磁力線に対し平行である時、最小であり、徐々に増大して、流体の流れが磁力線に対して垂直になった時に最大となる。
【００１６】
図２を参照すると、概略図が、磁石の磁力線の強度の分布を示している。どちらかの磁極に近ければ近いほど、磁力線の強度は強くなる。最終的に、磁力の強度は中間で最小となる。
【００１７】
図３を参照すると、概略図が、リング磁石の４つの環状面に沿った時計回りの方向の流体の流れと、反時計回りの方向にスピンするように駆動されているリング磁石と、を示し
ている。リング磁石１０は、４つの環状面、すなわち、下部環状面１１と、外側環状面１２と、上部環状面１３と、内側環状面１４と、を有する。矢印２１、矢印２２、矢印２３および矢印２４が示すように、流体は、それぞれ、下部環状面１１、外側環状面１２、上部環状面１３、および内側環状面１４に沿って流れ、リング磁石１０は、矢印２５で示すように、流体の流れの方向に対向する方向にスピンするように駆動されている。
【００１８】
本発明で使用される環状リング磁石は、上下の環状面の代わりに、外側および内側の環状面上に両極を有してもよいことを、理解されたい。
【００１９】
図３Ａを参照すると、カバーを有するリング磁石の断面図。いくつかの磁石材料（１０倍強力であるネオジム鉄ホウ素（Ｎｄ−Ｆｅ−Ｂ）など）は、一般的な磁石材料（フェライトなど）より強力であるが、さび易い。したがって、保護が必要である。図３Ａに示すように、いかなる磁気の力をも犠牲にすることなく磁石を保護する最善の仕方は、リング磁石１０の両極の上にフェライトなどの磁性材料を使用したカバー１０ａおよび１０ｂを置き、リング磁石１０の他の２つの環状面の上にプラスチックなどの非磁性材料を使用したカバー１０ｃおよび１０ｄを置くことである。
【００２０】
図４を参照すると、概略図が、同一極が互いに対向しているリング磁石の積層体の環状面に沿った時計回りの方向の流体の流れと、反時計回りの方向にスピンするように駆動されているリング磁石の積層体と、を示している。リング磁石の積層体は、３つのリング磁石、すなわち、同一極が互いに対向している、リング磁石３０と、リング磁石３１と、リング磁石３２と、からなり、その結果、磁力線の強度が４つの環状面上により均一に分配されるようになっている。これら４つの環状面に沿って流体の流れを有することが好ましい。リング磁石３０に関しては、矢印３３、矢印３４、矢印３６および矢印３７が示すように、流体は、それぞれ、下部環状面、外側環状面、上部環状面および内側環状面に沿って流れ、リング磁石３０は、矢印３５で示すように、流体の流れの方向に対向する方向にスピンするように駆動されている。リング磁石３１に関しては、矢印３６、矢印３８、矢印４０および矢印４１が示すように、流体は、それぞれ、下部環状面、外側環状面、上部環状面および内側環状面に沿って流れ、リング磁石３１は、矢印３９で示すように、流体の流れの方向に対向する方向にスピンするように駆動されている。リング磁石３２に関しては、矢印４０、矢印４２、矢印４４および矢印４５が示すように、流体は、それぞれ、下部環状面、外側環状面、上部環状面および内側環状面に沿って流れ、リング磁石３２は、矢印４３で示すように、流体の流れの方向に対向する方向にスピンするように駆動されている。
【００２１】
図５を参照すると、概略図が、対極が互いに対向しているリング磁石の積層体の環状面に沿った時計回りの方向の流体の流れと、反時計回りの方向にスピンするように駆動されているリング磁石の積層体と、を示している。図４と同様であるが、リング磁石５０、５１および５２は、対極が互いに対向するように配置されており、その結果、磁力線の強度は、外側および内側環状面におけるよりも上下の環状面において、強くなっている。リング磁石の上下の環状面に沿ってのみ流体の流れを有することが好ましい。
【００２２】
図６を参照すると、概略図が、円板磁石の環状面に沿った時計回りの方向の流体の流れと、反時計回りの方向にスピンするように駆動されている円板磁石と、を示している。円板磁石７０は、３つの環状面、すなわち下部環状面７１と、外側環状面７２と、上部環状面７３と、を有する。矢印７４、矢印７５および矢印７７が示すように、流体は、それぞれ、下部環状面７１、外側環状面７２および上部環状面７３に沿って流れ、円板磁石７０は、矢印７６で示すように、流体の流れの方向に対向する方向にスピンするように駆動されている。
【００２３】
図６Ａを参照すると、カバーを有する円板磁石の断面図。先に述べたように、いくつかの磁石材料（１０倍強力であるネオジム鉄ホウ素（Ｎｄ−Ｆｅ−Ｂ）など）は、一般的な磁石材料（フェライトなど）より強力であるが、さび易い。したがって、保護が必要である。図６Ａに示すように、いかなる磁気の力をも犠牲にすることなく磁石を保護する最善の仕方は、円板磁石７０の両極の上にフェライトなどの磁性材料を使用したカバー７０ａおよび７０ｂを置き、円板磁石７０の外側環状面の上にプラスチックなどの非磁性材料を使用したカバー７０ｃを置くことである。
【００２４】
図７を参照すると、概略図が、同一極が互いに対向している円板磁石の積層体の環状面に沿った時計回りの方向の流体の流れと、反時計回りの方向にスピンするように駆動されている円板磁石の積層体と、を示している。円板磁石の積層体は、３つの円板磁石、すなわち、同一極が互いに対向している、円板磁石８０と、円板磁石８１と、円板磁石８２と、からなり、その結果、磁力線の強度は、３つの環状面により均一に分配されるようになっている。３つの環状面全てに沿って流体の流れを有することが好ましい。円板磁石８０に関しては、矢印８３、矢印８４および矢印８６が示すように、流体は、それぞれ、下部環状面、外側環状面および上部環状面に沿って流れ、円板磁石８０は、矢印８５で示すように、流体の流れの方向に対向する方向にスピンするように駆動されている。円板磁石８１に関しては、矢印８６、矢印８７および矢印８９が示すように、流体は、それぞれ、下部環状面、外側環状面および上部環状面に沿って流れ、円板磁石８１は、矢印８８で示すように、流体の流れの方向に対向する方向にスピンするように駆動されている。円板磁石８２に関しては、矢印８９、矢印９０および矢印９２が示すように、流体は、それぞれ、下部環状面、外側環状面および上部環状面に沿って流れ、円板磁石８２は、矢印９１で示すように、流体の流れの方向に対向する方向にスピンするように駆動されている。
【００２５】
図８を参照すると、概略図が、対極が互いに対向している円板磁石の積層体の環状面に沿った時計回りの方向の流体の流れと、反時計回りの方向にスピンするように駆動されている円板磁石の積層体と、を示している。図７と同様であるが、円板磁石１００、１０１および１０２は、対極が互いに対向しているように配置されており、その結果、磁力線の強度は、外側環状面におけるより上下の環状面において、より強くなっている。円板磁石の上下の環状面のみに沿って流体の流れを有することが好ましい。
【００２６】
図９を参照すると、概略図が、リング状電磁石の環状面に沿った時計回りの方向の流体の流れと、反時計回りの方向にスピンするように駆動されているリング状電磁石と、を示している。リング状電磁石１２０は、４つの環状面、すなわち、下部環状面１２４と、外側環状面１２５と、上部環状面１２６と、内側環状面１２７と、を有する。矢印１２８、矢印１２９、矢印１３１および矢印１３２が示すように、流体は、それぞれ、下部環状面１２４、外側環状面１２５、上部環状面１２６および内側環状面１２７に沿って流れ、リング状電磁石１２０は、矢印１３０で示すように、流体の流れの方向に対向する方向にスピンするように駆動されている。
【００２７】
図１０を参照すると、リング状電磁石の好ましい実施形態の分解図。リング状電磁石１２０は、電気コイル１２２と、ハウジング１２１と、ハウジングカバー１２３とからなる。
【００２８】
図１１を参照すると、インサートが間に具設されたリング磁石の積層体の組立図。リング磁石の積層体が、リング磁石１８０と、リング磁石１８１と、リング磁石１８２と、からなる。インサート１８６、インサート１８５、インサート１８４およびインサート１８３は、図１１に示すように、各リング磁石の間に挿置されている。
【００２９】
図１２を参照すると、図１１に示すように、インサートが間に具設されたリング磁石の
積層体の好ましい実施形態の分解図。リング磁石の積層体の実施形態は、インサートが間に具設された、リング状電磁石の積層体の実施形態に置換され得る。
【００３０】
図１３を参照すると、インサートが間に具設されたリング磁石の積層体と、各リング磁石の３つの環状面に沿って直列に流体が通過できるようにする個別のハウジングとの断面図。この図では、外壁２００と、頂部仕切壁２０１と、底部仕切壁１９９と、を有するハウジング１５３を備える液体処理ユニットである、本発明の好ましい実施形態が示されている。この外壁２００と、頂部仕切壁２０１と、底部仕切壁１９９が、外壁２００内にチャンバを画成している。ハウジング１５３は、中心縦軸と、この軸に沿って間隔を置いた１対の対向する両端部と、を有する。ハウジング１５３には、チャンバを通る流体の流れを可能にするために、上端部に流体入口２０２と、下端部に流体出口２１３とが、共に図１４で示すように具設されている。３つの環状磁石の積層体がチャンバ内に設置されている。これら３つの環状磁石は、縦軸に関してチャンバ内を垂直方向に延在している。仕切壁が各環状磁石の上および下に追加されて、流体の流れが、環状磁石の少なくとも１つの環状面に沿って流れることができるようにしている。環状磁石は、好ましくは、流体の流れに対向する方向にスピンするように駆動され得る。
【００３１】
リング磁石１８０、１８１および１８２は、図１３において環状磁石の例として使用されており、これらについて、以下に詳述する。
【００３２】
リング磁石の積層体は、３つのリング磁石１８０、１８１および１８２からなり、インサート１８６、１８５、１８４および１８３が間に挿置されている。リング磁石の積層体とハウジング１５３との間には間隙があり、その結果、インサートが間に具設されたリング磁石の積層体は、ハウジング１５３内で、各リング磁石の３つの環状面に沿った直列の流体の流れに対向する方向にスピンするように駆動されるか、または静止している。先に述べたように、リング磁石は、例えば流体の流れによって駆動されるモータまたはタービンと結合することや、他の任意の一般に許容できる方法などの回転手段によって、直接的または間接的に回転可能にスピンさせられ得る。ハウジング１５３内には７つのアニュアル（ａｎｎｕａｌ）流路がある。すなわち：
・リング磁石１８２の上部環状面に沿った流体の流れを可能にする、第１の環状流路１８８が、シーリングのためのＯリング１４５およびＯリング１４６を有した状態で、仕切壁２０１および仕切壁１８７によって形成されている。
・リング磁石１８２の外側環状面に沿った流体の流れを可能にする、第２の環状流路１８９が、シーリングのためのＯリング１４１およびＯリング１４２を有した状態で、仕切壁１８７、仕切壁１９０および外壁２００によって形成されている。
・リング磁石１８２の下部環状面とリング磁石１８１の上部環状面との両方に沿った流体の流れを可能にする、第３の環状流路１９１が、シーリングのためのＯリング１４７およびＯリング１４８を有した状態で、仕切壁１９０および仕切壁１９２によって形成されている。
・リング磁石１８１の外側環状面に沿った流体の流れを可能にする、第４の環状流路１９３が、シーリングのためのＯリング１４２およびＯリング１４３を有した状態で、仕切壁１９２、仕切壁１９４および外壁２００によって形成されている。
・リング磁石１８１の下部環状面およびリング磁石１８０の上部環状面に沿った流体の流れを可能にする、第５の環状流路１９５が、シーリングのためのＯリング１４９およびＯリング１５０を有した状態で、仕切壁１９４および仕切壁１９６によって形成されている。
・リング磁石１８０の外側環状面に沿った流体の流れを可能にする、第６の環状流路１９７が、シーリングのためのＯリング１４３およびＯリング１４４を有した状態で、仕切壁１９６、仕切壁１９８および外壁２００によって形成されている。
・リング磁石１８０の下部環状面に沿った流体の流れを可能にする、第７の環状流路２０
８が、シーリングのためのＯリング１５１およびＯリング１５２を有した状態で、仕切壁１９８および仕切壁１９９によって形成されている。
【００３３】
図１３は、各環状流路に沿って均一に分配された磁鉄鉱を有さない３つのリング磁石の積層体の構造を示しているが、流体が、環状チャネルに沿って均一に分配された磁鉄鉱を有する上記環状チャネルに沿って環状に流れるように、変更することが好ましい。上述の変更は、また、後に言及する全ての図にも適用される。
【００３４】
さらに、図１３は３つのリング磁石の積層体の構造を示しているが、この構造は、１つのリング磁石または４つ以上のリング磁石の積層体のいずれかに、容易に変更され得る。変更例では、本発明において開示する構造に従って、リング磁石の積層体をリング状電磁石の積層体に置換することができ、結果は、本願明細書において開示するものと同じである。
【００３５】
図１３Ａを参照すると、インサートが間に具設された円板磁石の積層体と、各リング磁石の３つの環状面に沿って流体が直列に通過できるようにする個別のハウジングとの、断面図。処理ユニットのセットアップは、リング磁石の積層体が円板磁石の積層体に置換されていること以外は、図１３に示したものと全く同じである。円板磁石の積層体は、間にインサート１８６ａ、１８５ａ、１８４ａおよび１８３ａを有する３つの円板磁石１８０ａ、１８１ａおよび１８２ａからなり、ピン１６１によって共に保持されている。
【００３６】
図１４を参照すると、インサートが間に具設されたリング磁石の積層体と、各リング磁石の３つの環状面を通って直列に流体が通過できるようにする個別のハウジングとの、好ましい実施形態の分解図。流体は、入口２０２を通って第１の環状チャネル１８８に入り、突出部１７０によって阻止されるまで時計回りの方向に流れ、次いで、出口２０３を通って出る。流体は、第２の環状チャネル１８９へ入り、突出部１７１および突出部１７２によって阻止されるまで時計回りの方向に流れ続け、第３の環状チャネル１９１の入口２０６を通って出る。流体は、第３の環状チャネル１９１へ入り、突出部１７３によって阻止されるまで時計回りの方向に流れ続け、次いで、第３の環状チャネル１９１の出口２０７を通って出る。流体は、第４の環状チャネル１９３へ入り、突出部１７４および突出部１７５によって阻止されるまで時計回りの方向に流れ続け、次いで、第５の環状チャネル１９５の入口２１０を通って出る。流体は、第５の環状チャネル１９５へ入り、突出部１７６によって阻止されるまで時計回りの方向に流れ続け、次いで、第５の環状チャネル１９５の出口２１１を通って出る。流体は、第６の環状チャネル１９７へ入り、突出部１７７および突出部１７８によって阻止されるまで時計回りの方向に流れ続け、次いで、第７の環状チャネル２０８の入口２１２を通って出る。流体は、第７の環状チャネル２０８へ入り、突出部２０９によって阻止されるまで時計回り方向に流れ続け、次いで、第７の環状チャネル２０８の出口２１３を通って出る。ここに説明した様々なチャネルは、図１３Ａに示されている。
【００３７】
図１５を参照すると、インサートが間に具設されたリング磁石の積層体を示していない、各リング磁石の上部、外側および下部の環状面を通って直列に流体が通過できるようにする個別のハウジングの、好ましい実施形態の分解図。矢印２２１が示すように、インサートが間に具設されたリング磁石の積層体は、反時計回りの方向にスピンするように駆動されているか、静止している。矢印２１５が示すように、流体は、入口２０２を通って第１の環状チャネル１８８に入り、矢印２１４および２１６で示すように、突出部１７０によって阻止されるまで時計回りの方向に流れ、次いで、出口２０３を通って出る。流体は、第２の環状チャネル１８９に入り、矢印２１７、２１８、２１９および２２０で示すように、突出部１７１および突出部１７２によって阻止されるまで時計回り方向に流れ続け、次いで、第３の環状チャネル１９１の入口２０６を通って出る。流体がどのようにリン
グ磁石１８２の環状面に沿って流れるかについての上述の詳細な説明は、また、リング磁石１８１および１８０にも適用される。
【００３８】
図１６を参照すると、インサートが間に具設されたリング磁石の積層体を示していない、各リング磁石の上下の環状面を通って直列に流体が通過できるようにする個別のハウジングの、好ましい実施形態の分解図。矢印２２１が示すように、インサートが間に具設されたリング磁石の積層体は、反時計回りの方向にスピンするように駆動されているか、静止している。矢印２１５が示すように、流体は、入口２０２を通って第１の環状チャネル１８８に入り、矢印２１４および２１６で示すように、突出部１７０によって阻止されるまで時計回りの方向に流れ、次いで、出口２０３を通って出る。流体の流れは、突出部１７１ａおよび突出部１７２ａによって阻止され、第２の環状チャネル１８９を迂回する。流体は、矢印２１７および２２０で示すように、第３の環状チャネル１９１の入口２０６を通って出る。流体がどのようにリング磁石１８２の環状面に沿って流れるかについての上述の詳細な説明は、リング磁石１８１および１８０にも適用される。
【００３９】
再度、図１４を参照するが、突出部１７３および突出部２０９が除去される場合、流体は、第３の環状チャネル１９１および第７の環状チャネル２０８を迂回する。したがって、流体はリング磁石のＮ極のみを通って流れる。さらに、突出部１７０もまた除去される場合には、流体は、環状チャネルの両側にＮ極を有する環状チャネルのみを通って流れる。同様に、突出部１７０および突出部１７６が除去される場合、流体は、第１の環状チャネル１８８および第５の環状チャネル１９５を迂回する。したがって、流体はリング磁石のＳ極のみを通って流れる。さらに、突出部２０９もまた除去される場合には、流体は、環状チャネルの両側にＳ極を有する環状チャネルのみを通って流れる。
【００４０】
図１７を参照すると、インサートが間に具設されたリング磁石の積層体を示していない、各リング磁石の上下の環状面を通って並列に流体が通過できるようにする個別のハウジングの、好ましい実施形態の分解図。矢印２２１が示すように、インサートが間に具設されたリング磁石の積層体は、反時計回りの方向にスピンするように駆動されているか、静止している。流体の流れは、更なる突出部２２３ａ、２２３ｂ、２２４ａおよび２２４ｂによって阻止され、したがって、第２の環状チャネル１８９を迂回する。突出部１７１ｂおよび突出部１７２ｂがあるため、矢印２１５および２２０が示すように、流体は、それぞれ、入口２０２および入口２０６を通って、第１の環状チャネル１８８および第３の環状チャネル１９１へと同時に流れる。流体は、突出部１７０および１７３によって阻止されるまで時計回りの方向に流れ続ける。矢印２１７および２２５が示すように、流体は、それぞれ、出口２０３および出口２０７を通って出る。流体がどのようにリング磁石１８２および１８１の環状面に沿って流れるかについての上述の詳細な説明は、リング磁石１８２、１８１および１８０にも適用される。
【００４１】
再度、図１４を参照するが、入口２０６および入口２１２が除去される場合、流体は、第３の環状チャネル１９１および第７の環状チャネル２０８を迂回する。したがって、流体はリング磁石のＮ極のみを通って流れる。さらに、入口２０２もまた除去される場合、流体は、環状チャネルの両側にＮ極を有する環状チャネルのみを通って流れる。同様に、入口２０２および入口２１０が除去される場合、流体は、第１の環状チャネル１８８および第５の環状チャネル１９５を迂回する。したがって、流体は、リング磁石のＳ極のみを通って流れる。さらに、入口２１２もまた除去される場合、流体は、環状チャネルの両側にＳ極を有する環状チャネルのみを通って流れる。
【００４２】
再度、図１７を参照するが、突出部１７０、１７３、１７１ａおよび１７２ｂを除去する。出口２０３および２０７を、１８０度反対側へ移動する。すると、矢印２１５が示すように、流体は、入口２０２を通って第１の環状チャネル１８８へ流れ、２つの等しい流
れへと分流し、１つの流れは左側で時計回りに流れ、他方の流れは右側で反時計回りに流れ、最終的に、両方の流れは、入口２０２の反対側にある出口２０３を通って出る。上述と同様に、矢印２２０が示すように、流体は、入口２０６を通って第３の環状チャネル１９１内へ流れ、２つの等しい流れへ分流し、１つの流れは左側で時計回りに流れ、他方の流れは右側で反時計回りに流れ、最終的に、両方の流れは、入口２０６の反対側にある出口２０７を通って出る。上述のように変更することにより、流体は、各リング磁石の上下の環状面を通って、流体を２つの等しい流れへ分流して、並列に通過することができ、各流れは、環状に完全に１回転するのではなく、環状に半回転ずつ、流れる。上述の変更は、また、後に言及する全ての図１８、２５、２６、３０および３１にも適用される。
【００４３】
図１８を参照すると、インサートが間に具設されたリング磁石の積層体を示していない、全てのリング磁石の上部、外側および下部の環状表面を通って並列に流体が通過できるようにする個別のハウジングの、好ましい実施形態の分解図。矢印２２１が示すように、インサートが間に具設されたリング磁石の積層体は、反時計回りの方向にスピンするように駆動されているか、静止している。突出部１７１ｂおよび突出部１７２ｂがあるため、矢印２１５、２１８、および２２０が示すように、流体は、それぞれ、第１の環状チャネル１８８、第２の環状チャネル１８９、および第３の環状チャネル１９１内へ、入口２０２、入口２０２の間の空間、および入口２０６を通って、同時に流れる。流体は、仕切壁１７０、１７１ｂ、１７２ｂ、および１７３によって阻止されるまで時計回りの方向に流れ続ける。矢印２１７、２１９、および２２５が示すように、流体は、それぞれ、出口２０３、出口２０３の間の空間、および出口２０７を通って出る。流体がどのようにリング磁石１８２および１８１の環状面に沿って流れるかについての上述の詳細な説明は、リング磁石１８２、１８１および１８０にも適用される。
【００４４】
リング磁石の積層体の新たな構造が、図１５、１６、１７および１８を任意の組合せで追加することによって構築され得ることを、理解されたい。
【００４５】
図１９を参照すると、リング磁石の積層体と、各リング磁石の４つの環状面を通って直列に流体が通過できるようにする個別のハウジングとの断面図。インサートが間に具設されたリング磁石の積層体は、静止している。ハウジング２５３内には１０のアニュアル流路がある。すなわち：
・リング磁石２３２の上部環状面に沿った流体の流れを可能にする、第１の環状流路２３５が、シーリングのためのＯリング９０５およびＯリング９０６を有した状態で、仕切壁２３４および仕切壁２３６によって形成されている。
・リング磁石２３２の外側環状面に沿った流体の流れを可能にする、第２の環状流路２３７が、シーリングのためのＯリング９０１およびＯリング９０２を有した状態で、仕切壁２３６、仕切壁２３８および外壁２４９によって形成されている。
・リング磁石２３２の下部環状面とリング磁石２３１の上部環状面との両方に沿った流体の流れを可能にする、第３の環状流路２３９が、シーリングのためのＯリング９０７およびＯリング９０８を有した状態で、仕切壁２３８および仕切壁２４０によって形成されている。
・リング磁石２３１の外側環状面に沿った流体の流れを可能にする、第４の環状流路２４１が、シーリングのためのＯリング９０２およびＯリング９０３を有した状態で、仕切壁２４０、仕切壁２４２および外壁２４９によって形成されている。
・リング磁石２３１の下部環状面およびリング磁石２３０の上部環状面に沿った流体の流れを可能にする、第５の環状流路２４３が、シーリングのためのＯリング９０９およびＯリング９１０を有した状態で、仕切壁２４２および仕切壁２４４によって形成されている。
・リング磁石２３０の外側環状面に沿った流体の流れを可能にする、第６の環状流路２４５が、シーリングのためのＯリング９０３およびＯリング９０４を有した状態で、仕切壁
２４４、仕切壁２４６および外壁２４９によって形成されている。
・リング磁石２３０の下部環状面に沿った流体の流れを可能にする、第７の環状流路２４７が、シーリングのためのＯリング９１１およびＯリング９１２を有した状態で、仕切壁２４６および仕切壁２４８によって形成されている。
・リング磁石２３０の内側環状面に沿った流体の流れを可能にする、第８の環状流路２５２が、Ｏリングなしでシーリングのためにぴったりと嵌合させた、仕切壁２４４、仕切壁２４６、仕切壁２４８および内壁２３３によって形成されている。
・リング磁石２３１の内側環状面に沿った流体の流れを可能にする、第９の環状流路２５１が、Ｏリングなしでシーリングのためにぴったりと嵌合させた、仕切壁２４０、仕切壁２４２、仕切壁２４４および内壁２３３によって形成されている。
・リング磁石２３２の内側環状面に沿った流体の流れを可能にする、第１０の環状流路２５０が、Ｏリングなしでシーリングのためにぴったりと嵌合させた、仕切壁２３６、仕切壁２３８、仕切壁２４０および内壁２３３によって形成されている。
【００４６】
図１９は３つのリング磁石の積層体の構造を示しているが、この構造は、１つのリング磁石または４つ以上のリング磁石の積層体のいずれかに、容易に変更され得る。変更例では、本発明において開示する構造に従って、リング磁石の積層体をリング状電磁石の積層体に置換することができ、結果は、本願明細書において開示するものと同じである。
【００４７】
図１９に示すように、３つのリング磁石は、仕切壁に接触していない。変更例では、仕切壁とリング磁石の環状面との間の間隙をゼロに低減することができ、このようにして、リング磁石の環状面に接触する仕切壁の部分の材料を除去することができる。このようにして、流体の流れはリング磁石の環状面に接触し、より良い効率が達成される。
【００４８】
図２０を参照すると、各リング磁石の４つの環状面を通って直列に流体が通過できるようにする個別のハウジングの、好ましい実施形態の分解図。流体は、入口２６０を通って第１の環状チャネル２３５に入り、突出部９１３によって阻止されるまで時計回りの方向に流れ、次いで、出口２６１を通って出る。流体は、第２の環状チャネル２３７へ入り、突出部９１４および突出部９１５によって阻止されるまで時計回りの方向に流れ続け、次いで、第３の環状チャネル２３９の入口２６４を通って出る。流体は、第３の環状チャネル２３９へ入り、突出部９１６によって阻止されるまで時計回りの方向に流れ続け、次いで、第３の環状チャネル２３９の出口２６５を通って出る。流体は、第４の環状チャネル２４１へ入り、突出部９１７および突出部９１８によって阻止されるまで時計回りの方向に流れ続け、次いで、第５の環状チャネル２４３の入口２６８を通って出る。流体は、第５の環状チャネル２４３へ入り、突出部９１９によって阻止されるまで時計回りの方向に流れ続け、次いで、第５の環状チャネル２４３の出口２６９を通って出る。流体は、第６の環状チャネル２４５へ入り、突出部９２０および突出部９２１によって阻止されるまで時計回りの方向に流れ続け、次いで、第７の環状チャネル２４７の入口２７２を通って出る。流体は、第７の環状チャネル２４７へ入り、突出部９２３によって阻止されるまで時計回りの方向に流れ続け、次いで、第７の環状チャネル２４７の出口２７３を通って出る。流体は、第８の環状チャネル２５２へ入り、突出部９３８および突出部９３９によって阻止されるまで時計回りの方向に流れ続け、次いで、第９の環状チャネル２５１の入口９３１を通って出る。流体は、第９の環状チャネル２５１へ入り、突出部９３６および突出部９３７によって阻止されるまで時計回りの方向に流れ続け、次いで、第１０の環状チャネル２５０の入口９３２を通って出る。流体は、第１０の環状チャネル２５０へ入り、突出部９３４および突出部９３５によって阻止されるまで時計回りの方向に流れ続け、次いで、第１０の環状チャネル２５０の出口９３３を通って出る。
【００４９】
図２１を参照すると、リング磁石の積層体を示していない、リング磁石２３０（図示せず）の４つの環状面を通って直列に流体が通過できるようにする個別のハウジングの、好
ましい実施形態の分解図。矢印２８４が示すように、流体は、入口２６８を通って第５の環状チャネル２４３に入り、矢印２８２および２８３で示すように、突出部９１９によって阻止されるまで時計回りの方向に流れ、次いで、出口２６９を通って出る。流体は、第６の環状チャネル２４５へ入り、矢印２８５、２８６、２８７および２８８で示すように、突出部９２０および突出部９２１によって阻止されるまで時計回りの方向に流れ続け、次いで、第７の環状チャネル２４７の入口２７２を通って出る。矢印２９１が示すように、流体は、入口２７２を通って第７の環状チャネル２４７に入り、矢印２８９および２９０で示すように、突出部９２３によって阻止されるまで時計回りの方向に流れ、次いで、出口２７３を通って出る。流体は、第８の環状チャネル２５２へ入り、矢印２９２、２９９および３０１で示すように、突出部９３８および突出部９３９によって阻止されるまで時計回りの方向に流れ続け、次いで、第９の環状チャネル２５１の入口９３１を通って出る。流体がどのようにリング磁石２３０の環状面に沿って流れるかについての上述の詳細な説明は、リング磁石２３１および２３２にも適用される。
【００５０】
図２２を参照すると、中間に仕切壁を有するリング磁石の積層体と、各リング磁石の上下の環状面を通って直列に流体が通過できるようにするハウジングとの断面図。リング磁石の積層体は、静止している。効率を最大にするために、流体の流れは全てのリング磁石の全ての表面に接触している。ハウジング８００内には１０のアニュアル流路がある。すなわち：
・リング磁石３１２の上部環状面に沿った流体の流れを可能にする、第１の環状流路８０１が、Ｏリングなしでシーリングのためにぴったりと嵌合させた、仕切壁３１７、リング磁石３１２の上部環状面、および仕切壁３１３によって形成されている。
・リング磁石３１２の外側環状面に沿った流体の流れを可能にする、第２の環状流路８０２が、Ｏリングなしでシーリングのためにぴったりと嵌合させた、仕切壁３１３、リング磁石３１２の外側環状面、仕切壁３１４、および外壁３２０によって形成されている。
・リング磁石３１２の下部環状面とリング磁石３１１の上部環状面との両方に沿った流体の流れを可能にする、第３の環状流路８０３が、Ｏリングなしでシーリングのためにぴったりと嵌合させた、仕切壁３１４、リング磁石３１２の下部環状面、およびリング磁石３１１の上部環状面によって形成されている。
・リング磁石３１１の外側環状面に沿った流体の流れを可能にする、第４の環状流路８０４が、Ｏリングなしでシーリングのためにぴったりと嵌合させた、仕切壁３１４、リング磁石３１１の外側環状面、仕切壁３１５、および外壁３２０によって形成されている。
・リング磁石３１１の下部環状面とリング磁石３１０の上部環状面とに沿った流体の流れを可能にする、第５の環状流路８０５が、Ｏリングなしでシーリングのためにぴったりと嵌合させた、仕切壁３１５、リング磁石３１１の下部環状面、およびリング磁石３１０の上部環状面によって形成されている。
・リング磁石３１０の外側環状面に沿った流体の流れを可能にする、第６の環状流路８０６が、Ｏリングなしでシーリングのためにぴったりと嵌合させた、仕切壁３１５、リング磁石３１０の外側環状面、仕切壁３１６、および外壁３２０によって形成されている。
・リング磁石３１０の下部環状面に沿った流体の流れを可能にする、第７の環状流路８０７が、Ｏリングなしでシーリングのためにぴったりと嵌合させた、仕切壁３１６、リング磁石３１０の下部環状面、および仕切壁３１８によって形成されている。
・リング磁石３１０の内側環状面に沿った流体の流れを可能にする、第８の環状流路８０８が、Ｏリングなしでシーリングのためにぴったりと嵌合させた、仕切壁３１６、リング磁石３１０の内側環状面、仕切壁３１５、および内壁３１９によって形成されている。
・リング磁石３１１の内側環状面に沿った流体の流れを可能にする、第９の環状流路８０９が、Ｏリングなしでシーリングのためにぴったりと嵌合させた、仕切壁３１５、リング磁石３１１の内側環状面、仕切壁３１４、および内壁３１９によって形成されている。
・リング磁石３１２の内側環状面に沿った流体の流れを可能にする、第１０の環状流路８１０が、Ｏリングなしでシーリングのためにぴったりと嵌合させた、仕切壁３１４、リン
グ磁石３１２の内側環状面、仕切壁３１３、および内壁３１９によって形成されている。
【００５１】
図２２は３つのリング磁石の積層体の構造を示しているが、この構造は、１つのリング磁石または４つ以上のリング磁石の積層体のいずれかに、容易に変更され得る。変更例では、本発明において開示する構造に従って、リング磁石の積層体をリング状電磁石の積層体に置換することができ、結果は、本願明細書において開示するものと同じである。
【００５２】
図２３を参照すると、中間に仕切壁を有するリング磁石の積層体と、各リング磁石の上下の環状面を通って直列に流体が通過できるようにする仕切壁を有するハウジングとの好ましい実施形態の分解図。流体は、入口３２６を通って第１の環状チャネル８０１に入り、突出部８１１によって阻止されるまで反時計回りの方向に流れ、次いで、出口３２５を通って出る。流体は流れ続け、第１０の環状チャネル８１０を迂回する。流体は、入口３２７を通って第３の環状チャネル８０３へ入り、突出部８１２によって阻止されるまで反時計回りの方向に流れ続け、次いで、第３の環状チャネル８０３の出口３２８を通って出る。流体は流れ続け、第４の環状チャネル８０４を迂回する。流体は、入口３３０を通って第５の環状チャネル８０５へ入り、突出部８１３によって阻止されるまで反時計回りの方向に流れ続け、次いで、第５の環状チャネル８０５の出口３２９を通って出る。流体は流れ続け、第８の環状チャネル８０８を迂回する。流体は、入口３３１を通って第７の環状チャネル８０７へ入り、突出部８１４によって阻止されるまで反時計回りの方向に流れ続け、次いで、第７の環状チャネル８０７の出口３３２を通って出る。
【００５３】
図２４を参照すると、各リング磁石の上下の環状面を通って直列に流体が通過できるようにする仕切壁を有するハウジングの、好ましい実施形態の分解図。矢印３３４が示すように、流体は、入口３２６を通って第１の環状チャネル８０１へと流れ、矢印３３３および３３２で示すように、突出部８１１によって阻止されるまで反時計回りの方向に流れ続ける。流体は流れ続け、第１０の環状チャネル８１０を迂回する。流体は、入口３２７を通って第３の環状チャネル８０３へ入り、矢印３３６および３３５で示すように、突出部８１２によって阻止されるまで反時計回りの方向に流れ続け、次いで、第３の環状チャネル８０３の出口３２８を通って出る。流体がどのようにリング磁石３１２の環状面に沿って流れるかについての上述の詳細な説明は、リング磁石３１１および３１０にも適用される。
【００５４】
再度、図２３を参照するが、突出部８１２および突出部８１４が除去される場合、流体は、第３の環状チャネル８０３および第７の環状チャネル８０７を迂回する。したがって、流体は、リング磁石のＮ極のみを通って流れる。さらに、突出部８１１もまた除去される場合、流体は、環状チャネルの両側にＮ極を有する環状チャネルのみを通って流れる。同様に、突出部８１１および突出部８１３が除去される場合、流体は、第１の環状チャネル８０１および第５の環状チャネル８０５を迂回する。したがって、流体は、リング磁石のＳ極のみを通って流れる。さらに、突出部８１４もまた除去される場合、流体は、環状チャネルの両側にＳ極を有する環状チャネルのみを通って流れる。
【００５５】
図２５を参照すると、全てのリング磁石の上下の環状面を通って並列に流体が通過できるようにする仕切壁を有するハウジングの好ましい実施形態の分解図。環状突出部７０１、７０２、７０３、７０４、７０５、７０６、７０７および７０８は、シーリングのために、内壁３１９または外壁３２０とぴったりと嵌合されている。環状突出部７０１は、不変のまま保たれ、環状突出部７０８は、また、仕切壁３１６の上部から仕切壁３１６の下部へ移動されている。環状突出部７０２、７０３、７０４、７０５および７０６のそれぞれは、図２５に示すように、４つの突出点に置換されている。リング磁石の積層体は、以前と同様、所定の場所に保持されたままである。第３の環状チャネル８０３に関して、出口３２８は、仕切壁８１２の左から仕切壁８１２の右へ移動されており、入口３２７は、
仕切壁８１２の右から仕切壁８１２の左へ移動されている。第５の環状チャネル８０５についても同様である。すなわち、出口３３２は、仕切壁８１４の左から仕切壁８１４の右へ移動されており、入口３３１は、仕切壁８１４の右から仕切壁８１４の左へ移動されている。環状チャネル８０２、８０４および８０６は、内側環状チャネル７０９として連結されている。同様に、環状チャネル８０８、８０９および８１０もまた、外側環状チャネル７１０として連結されている。流体の流れは、外側環状チャネル７１０に入り、第１のアニュアルチャネル８０１へ、さらに、第３の環状チャネル８０３へと流れる。矢印３３４および３３７が示すように、流体は、それぞれ、同時に入口３２６および入口３２８を通って、第１の環状チャネル８０１および第３の環状チャネル８０３へと流れ、矢印３３３、３３２、３３５および３３６で示すように、それぞれ、反時計回りの方向に流れる。最終的に、流体は、出口３２５および出口３２７を通って出、同時に内側アニュアルチャネル７０９に入る。流体がどのようにリング磁石３１２の環状面に沿って流れるかについての上述の詳細な説明は、リング磁石３１１および３１０にも適用される。
【００５６】
再度、図２３を参照するが、入口３２８および入口３３２が除去される場合、流体は、第３の環状チャネル８０３および第７の環状チャネル８０７を迂回する。したがって、流体は、リング磁石のＮ極のみを通って流れる。さらに、入口３２６も除去される場合、流体は、環状チャネルの両側にＮ極を有する環状チャネルのみを通って流れる。同様に、入口３２６および入口３３０が除去される場合、流体は、第１の環状チャネル８０１および第５の環状チャネル８０５を迂回する。したがって、流体は、リング磁石のＳ極のみを通って流れる。さらに、入口３３２が除去される場合、流体は、環状チャネルの両側にＳ極を有する環状チャネルのみを通って流れる。
【００５７】
図２６を参照すると、全てのリング磁石の上部、外側、下部および内側の環状表面を通って並列に流体が通過できるようにする仕切壁を有するハウジングの、好ましい実施形態の分解図。環状突出部７０１、７０２、７０３、７０４、７０５、７０６、７０７および７０８は、シーリングのために内壁３１９または外壁３２０とぴったりと嵌合されている。環状突出部７０１および７０７は、不変のまま保たれ、環状突出部７０８はまた、仕切壁３１６の上部から仕切壁３１６の下部へ移動されている。環状突出部７０２、７０３、７０４、７０５および７０６のそれぞれが、図２６に示すように、４つの突出点に置換されている。リング磁石の積層体は、以前と同様、所定の場所に保持されたままである。第３の環状チャネル８０３に関しては、出口３２８ａが、仕切壁８１２の右側に追加され、入口３２７ａが、仕切壁８１２の左側に追加されている。第５の環状チャネル８０５についても同様である。すなわち、出口３３２ａが、仕切壁８１４の右側に追加され、入口３３１ａが、仕切壁８１４の左側に追加されている。環状チャネル８０２、８０４および８０６の右側は、入口環状チャネル７１０ｂとして連結されている。同様に、環状チャネル８０２、８０４および８０６の左側もまた、出口環状チャネル７１０ａとして連結されている。図２６に示すように、突出部８１１ａおよび８１１ｂが、仕切壁３１３に追加されている。上述と同様に、図２６に示すように、仕切壁８１２ａ、８１２ｂが、仕切壁３１４に追加されている。流体は、入口環状チャネル７１０ｂを通ってハウジング８００へと流れる。矢印３３４および３３７が示すように、流体は、それぞれ同時に、入口３２６および入口３２８を通って、第１の環状チャネル８０１および第３の環状チャネル８０３へと流れ、矢印３３３、３３２、３３５および３３６で示すように、それぞれ反時計回りの方向に流れる。同時に、流体はまた、矢印７１２および７１１で示すように、それぞれ、仕切壁８１２ａ、８１ｌａ、８１２ｂおよび８１１ｂによって阻止されるまで、リング磁石３１２の外側および内側環状面に沿って反時計回りの方向に流れる。最終的に、流体は、リング磁石３１２の４つの環状面に沿って流れ、同時に出口チャネル７１０ａを通ってハウジング８００を出る。流体がどのようにリング磁石３１２の環状面に沿って流れるかについての上述の詳細な説明は、リング磁石３１１および３１０にも適用される。
【００５８】
リング磁石の積層体の新たな構造が、図１９、２４、２５および２６を任意の組合せで追加することによって構築され得ることを、理解されたい。
【００５９】
図２７を参照すると、中間に仕切壁を有する円板磁石の積層体と、各円板磁石の上下の環状面を通って直列に流体が通過できるようにするハウジングとの断面図。円板磁石の積層体は、静止している。効率を最大にするために、流体の流れは全ての円板磁石の全ての表面に接触している。ハウジング８６８内には７つのアニュアル流路がある。すなわち：・円板磁石８５４の上部環状面に沿った流体の流れを可能にする、第１の環状流路８４１が、Ｏリングなしでシーリングのためにぴったりと嵌合させた、仕切壁８６１、円板磁石８５４の上部環状面、および仕切壁８６２によって形成されている。
・円板磁石８５４の外側環状面に沿った流体の流れを可能にする、第２の環状流路８４２が、Ｏリングなしでシーリングのためにぴったりと嵌合させた、仕切壁８６２、円板磁石８５４の外側環状面、仕切壁８６３、および外壁８６７によって形成されている。
・円板磁石８５４の下部環状面と円板磁石８５３の上部環状面との両方に沿った流体の流れを可能にする、第３の環状流路８４３が、Ｏリングなしでシーリングのためにぴったりと嵌合させた、仕切壁８６３、円板磁石８５４の下部環状面、および円板磁石８５３の上部環状面によって形成されている。
・円板磁石８５３の外側環状面に沿った流体の流れを可能にする、第４の環状流路８４４が、Ｏリングなしでシーリングのためにぴったりと嵌合させた、仕切壁８６３、円板磁石８５３の外側環状面、仕切壁８６４、および外壁８６７によって形成されている。
・円板磁石８５３の下部環状面および円板磁石８５２の上部環状面に沿った流体の流れを可能にする、第５の環状流路８４５が、Ｏリングなしでシーリングのためにぴったりと嵌合させた、仕切壁８６４、円板磁石８５３の下部環状面、および円板磁石８５２の上部環状面によって形成されている。
・円板磁石８５２の外側環状面に沿った流体の流れを可能にする、第６の環状流路８４６が、Ｏリングなしでシーリングのためにぴったりと嵌合させた、仕切壁８６４、円板磁石８５２の外側環状面、仕切壁８６５、および外壁８６７によって形成されている。
・円板磁石８５２の下部環状面に沿った流体の流れを可能にする、第７の環状流路８４７が、Ｏリングなしでシーリングのためにぴったりと嵌合させた、仕切壁８６５、円板磁石８５２の下部環状面、および仕切壁８６６によって形成されている。
【００６０】
図２７は３つの円板磁石の積層体の構造を示しているが、この構造は、１つの円板磁石または４つ以上の円板磁石の積層体のいずれかに、容易に変更され得る。
【００６１】
図２８を参照すると、中間に仕切壁を有する円板磁石の積層体と、各円板磁石の上下の環状面を通って直列に流体が通過できるようにする個別のハウジングとの好ましい実施形態の分解図。流体は、入口８６２ａを通って第１の環状チャネル８４１に入り、突出部８８２によって阻止されるまで時計回りの方向に流れ、次いで、出口８６２ｂを通って出る。流体は流れ続け、第２の環状チャネル８４２を迂回する。流体は、入口８６３ａを通って第３の環状チャネル８４３へ入り、突出部８８３によって阻止されるまで時計回りの方向に流れ続け、次いで、第３の環状チャネル８４３の出口８６３ｂを通って出る。流体は流れ続け、第４の環状チャネル８４４を迂回する。流体は、入口８６４ａを通って第５の環状チャネル８４５へ入り、突出部８８４によって阻止されるまで時計回りの方向に流れ続け、次いで、第５の環状チャネル８４５の出口８６４ｂを通って出る。流体は流れ続け、第６の環状チャネル８４６を迂回する。流体は、入口８６５ａを通って第７の環状チャネル８４７へ入り、突出部８８５によって阻止されるまで時計回りの方向に流れ続け、次いで、第７の環状チャネル８４７の出口８６５ｂを通って出る。
【００６２】
図２９を参照すると、インサートが間に具設された円板磁石の積層体を示していない、各円板磁石の上下の環状面を通って直列に流体が通過できるようにする個別のハウジング
の、好ましい実施形態の分解図。矢印８９１が示すように、流体は、入口８６２ａを通って第１の環状チャネル８４１へと流れ、矢印８９２および８９３で示すように、突出部８８２によって阻止されるまで時計回りの方向に流れ続ける。流体は流れ続け、矢印８９４および８９５で示すように、第２の環状チャネル８４２を迂回する。流体は、入口８６３ａを通って第３の環状チャネル８４３へ入り、突出部８８３によって阻止されるまで時計回りの方向に流れ続け、次いで、矢印８９８で示すように、第３の環状チャネル８４３の出口８６３ｂを通って出る。流体がどのように円板磁石８５４の環状面に沿って流れるかについての上述の詳細な説明は、円板磁石８５３および８５２にも適用される。
【００６３】
再度、図２８を参照するが、突出部８８３および突出部８８５が除去される場合、流体は、第３の環状チャネル８４３および第７の環状チャネル８４７を迂回する。したがって、流体は、リング磁石のＮ極のみを通って流れる。さらに、突出部８８２もまた除去される場合、流体は、環状チャネルの両側にＮ極を有する環状チャネルのみを通って流れる。同様に、突出部８８２および突出部８８４が除去される場合、流体は、第１の環状チャネル８４１および第５の環状チャネル８４５を迂回する。したがって、流体は、リング磁石のＳ極のみを通って流れる。さらに、突出部８８５もまた除去される場合、流体は、環状チャネルの両側にＳ極を有する環状チャネルのみを通って流れる。
【００６４】
図３０を参照すると、インサートが間に具設された円板磁石の積層体を示していない、全ての円板磁石の上下の環状面を通って並列に流体が通過できるようにする個別のハウジングの、好ましい実施形態の分解図。突出部８８２ａ−ｂ、８８３ａ−ｂ、８８４ａ−ｂおよび８８５ａ−ｂのそれぞれは、図３０に示すように３つの突出部に置換されている。流体は、仕切壁８８２ｅおよび８８２ｄの間の空間を通って流れる。矢印８９１および８９５が示すように、流体は、入口８６２ａを通って第１の環状チャネル８４１へ、入口８６３ａを通って第３の環状チャネル８４３へ、同時に流れる。流体は、突出部８８２および８８３によって阻止されるまで時計回りの方向に流れ続け、次いで、出口８６２ｂおよび８６３ｂを通って出る。最終的に、流体は、仕切壁８８２ｆと８８２ｄとの間の空間を通って流出する。流体がどのように円板磁石８５４の環状面に沿って流れるかについての上述の詳細な説明は、円板磁石８５３および８５２にも適用される。
【００６５】
再度、図２８を参照するが、入口８６３ａおよび入口８６５ａが除去される場合、流体は、第３の環状チャネル８４３および第７の環状チャネル８４７を迂回する。したがって、流体は、リング磁石のＮ極のみを通って流れる。さらに、入口８６２ａもまた除去される場合、流体は、環状チャネルの両側にＮ極を有する環状チャネルのみを通って流れる。同様に、入口８６２ａおよび入口８６４ａが除去される場合、流体は、第１の環状チャネル８４１および第５の環状チャネル８４５を迂回する。したがって、流体は、リング磁石のＳ極のみを通って流れる。さらに、入口８６５ａもまた除去される場合、流体は、環状チャネルの両側にＳ極を有する環状チャネルのみを通って流れる。
【００６６】
図３１を参照すると、インサートが間に具設された円板磁石の積層体を示していない、全ての円板磁石の上部、外側および下部の環状表面を通って並列に流体が通過できるようにする個別のハウジングの、好ましい実施形態の分解図。突出部８８２ａ−ｂ、８８３ａ−ｂ、８８４ａ−ｂおよび８８５ａ−ｂのそれぞれは、図３１に示すように、突出部８８２ｄ、８８３ｄ、８８４ｄおよび８８５ｄによってそれぞれ置換されている。流体は、突出部８８２ｄの左側の空間を通って中に流れ込む。矢印８９１、８７６および８９５が示すように、流体は、入口８６２ａを通って第１の環状チャネル８４１へ、第２のチャネル８４２の左側へ、および入口８６３ａを通って第３の環状チャネル８４３へと、同時に流れる。流体は、矢印８９２、８９３および８７７で示すように、突出部８８２、８８２ｄおよび８８３ｄによって阻止されるまで時計回りの方向に流れ続け、次いで、矢印８９４で示すように出口８６２ｂを、第２の環状チャネル８４２の右側を、および矢印８９８で
示すように８６３ｂを、通って出る。最終的に、流体は、突出部８８２ｄの右側の空間を通って流出する。流体がどのように円板磁石８５４の環状面に沿って流れるかについての上述の詳細な説明は、円板磁石８５３および８５２にも適用される。
【００６７】
図３２を参照すると、インサートが間に具設された円板磁石の積層体を示していない、各円板磁石の上部、外側および下部の環状表面を通って直列に流体が通過できるようにする個別のハウジングの、好ましい実施形態の分解図。矢印８９１が示すように、流体は、入口８６２ａを通って第１の環状チャネル８４１へ流れ、矢印８９２および８９３で示すように、突出部８８２によって阻止されるまで時計回りの方向に流れ続ける。流体は、矢印８９４、８７６および８７７で示すように、突出部８８２ｃおよび８８３ａによって阻止されるまで第２の環状チャネル８４２を通って時計回りの方向に流れ続ける。流体は、矢印８９５で示すように、入口８６３ａを通って第３の環状チャネル８４３へ入り、突出部８８３によって阻止されるまで時計回りの方向に流れ続け、次いで、矢印８９８で示すように、第３の環状チャネル８４３の出口８６３ｂを通って出る。流体がどのように円板磁石８５４の環状面に沿って流れるかについての上述の詳細な説明は、円板磁石８５３および８５２にも適用される。
【００６８】
リング磁石の積層体の新たな構造が、図２９、３０、３１および３２を任意の組合せで追加することによって構築され得ることを、理解されたい。
【００６９】
図３３を参照すると、リング磁石の上部環状面に沿った２つの環状通路を通る流体の流れを有する、そのリング磁石の上の仕切壁の好ましい実施形態の分解図。基本的に、図２４で説明したことと同様であるが、流体は、図２４で示したように１つのみの環状通路ではなく、リング磁石３１２の上部環状面に沿った２つの環状通路を通って流れる。流体は、矢印９９０で示すように、入口３２６へ流れる。次いで、流体は、矢印９９１、９９２、９９３、９９４で示すように、２つの環状通路を通って流れ続け、矢印９９５で示すように、出口３２５を通って出る。
【００７０】
図３３は、リング磁石の上部環状面に沿った２つの環状通路を通る流体の流れを有する、そのリング磁石の上の仕切壁の好ましい実施形態を示しているが、この構造は、１つのみ、２つ、または多数の環状通路を通る流体の流れを有するように、容易に変更され得る。変更例では、本発明で開示する構造に従って、リング磁石を、リング状電磁石または円板磁石に置換することができ、結果は、本願明細書において開示するものと同じである。
【００７１】
したがって、上述の実施形態は、開示した本発明を実施するために使用される、開示した要素の配置の数多くの変形例のうちのほんの数例を例示したものにすぎないことを、理解されたい。さらに、本発明を、特に、好ましい実施形態およびその変更例に関して詳細に明示、説明、および例示してきたが、前述および他の変更は例示にすぎないこと、ならびに従来技術によって排除される場合を除き、請求する本発明の真の精神と範囲から逸脱することなく、同等の形および細部の変更がなされ得ることを、理解されたい。
【図面の簡単な説明】
【００７２】
【図１】流体の流れの方向と、磁石によって発生した磁力線の方向との関係に及ぼす処理効果を示す概略図である。
【図２】磁石の磁力線の強度の分布を示す概略図である。
【図３】リング磁石の４つの環状面に沿った時計回りの方向の流体の流れと、反時計回りの方向にスピンするように駆動されているリング磁石とを示す概略図である。
【図３Ａ】カバーを有するリング磁石の断面図である。
【図４】同一極が互いに対向しているリング磁石の積層体の環状面に沿った時計回りの方向の流体の流れと、反時計回りの方向にスピンするように駆動されているリング磁石の積層体とを示す概略図である。
【図５】対極が互いに対向しているリング磁石の積層体の環状面に沿った時計回りの方向の流体の流れと、反時計回りの方向にスピンするように駆動されているリング磁石の積層体とを示す概略図である。
【図６】円板磁石の環状面に沿った時計回りの方向の流体の流れと、反時計回りの方向にスピンするように駆動されている円板磁石とを示す概略図である。
【図６Ａ】カバーを有する円板磁石の断面図である。
【図７】同一極が互いに対向している円板磁石の積層体の環状面に沿った時計回りの方向の流体の流れと、反時計回りの方向にスピンするように駆動されている円板磁石の積層体とを示す概略図である。
【図８】対極が互いに対向している円板磁石の積層体の環状面に沿った時計回りの方向の流体の流れと、反時計回りの方向にスピンするように駆動されている円板磁石の積層体とを示す概略図である。
【図９】リング状電磁石の環状面に沿った時計回りの方向の流体の流れと、反時計回りの方向にスピンするように駆動されているリング状電磁石とを示す概略図である。
【図１０】リング状電磁石の好ましい実施形態の分解図である。
【図１１】インサートが間に具設されたリング磁石の積層体の組立図である。
【図１２】インサートが間に具設されたリング磁石の積層体の好ましい実施形態の分解図である。
【図１３】インサートが間に具設されたリング磁石の積層体と、各リング磁石の３つの環状面に沿って直列に流体が通過できるようにする個別のハウジングとの断面図である。
【図１３Ａ】インサートが間に具設された円板磁石の積層体と、各円板磁石の３つの環状面に沿って直列に流体が通過できるようにする個別のハウジングとの断面図である。
【図１４】インサートが間に具設されたリング磁石の積層体と、各リング磁石の３つの環状面を通って直列に流体が通過できるようにする個別のハウジングとの好ましい実施形態の分解図である。
【図１５】インサートが間に具設されたリング磁石の積層体を示していない、各リング磁石の上部、外側、および下部の環状面を通って直列に流体が通過できるようにする個別のハウジングの、好ましい実施形態の分解図である。
【図１６】インサートが間に具設されたリング磁石の積層体を示していない、各リング磁石の上下の環状面を通って直列に流体が通過できるようにする個別のハウジングの、好ましい実施形態の分解図である。
【図１７】インサートが間に具設されたリング磁石の積層体を示していない、全てのリング磁石の上下の環状面を通って並列に流体が通過できるようにする個別のハウジングの、好ましい実施形態の分解図である。
【図１８】インサートが間に具設されたリング磁石の積層体を示していない、全てのリング磁石の上部、外側および下部の環状面を通って並列に流体が通過できるようにする個別のハウジングの、好ましい実施形態の分解図である。
【図１９】リング磁石の積層体と、各リング磁石の４つの環状面を通って直列に流体が通過できるようにする個別のハウジングとの断面図である。
【図２０】各リング磁石の４つの環状面を通って直列に流体が通過できるようにする個別のハウジングの、好ましい実施形態の分解図である。
【図２１】リング磁石の積層体を示していない、リング磁石の４つの環状面を通って直列に流体が通過できるようにする個別のハウジングの、好ましい実施形態の分解図である。
【図２２】中間に仕切壁を有するリング磁石の積層体と、各リング磁石の上下の環状面を通って直列に流体が通過できるようにするハウジングとの断面図である。
【図２３】中間に仕切壁を有するリング磁石の積層体と、各リング磁石の上下の環状面を通って直列に流体が通過できるようにする仕切壁を有するハウジングとの好ましい実施形態の分解図である。
【図２４】各リング磁石の上下の環状面を通って直列に流体が通過できるようにする仕切壁を有するハウジングの、好ましい実施形態の分解図である。
【図２５】全てのリング磁石の上下の環状面を通って並列に流体が通過できるようにする仕切壁を有するハウジングの、好ましい実施形態の分解図である。
【図２６】全てのリング磁石の上部、外側、下部および内側の環状面を通って並列に流体が通過できるようにする仕切壁を有するハウジングの、好ましい実施形態の分解図である。
【図２７】中間に仕切壁を有する円板磁石の積層体と、各円板磁石の上下の環状面を通って直列に流体が通過できるようにするハウジングとの断面図である。
【図２８】中間に仕切壁を有する円板磁石の積層体と、各円板磁石の上下の環状面を通って直列に流体が通過できるようにする個別のハウジングとの好ましい実施形態の分解図である。
【図２９】インサートが間に具設された円板磁石の積層体を示していない、各円板磁石の上下の環状面を通って直列に流体が通過できるようにする個別のハウジングの、好ましい実施形態の分解図である。
【図３０】インサートが間に具設された円板磁石の積層体を示していない、全ての円板磁石の上下の環状面を通って並列に流体が通過できるようにする個別のハウジングの、好ましい実施形態の分解図である。
【図３１】インサートが間に具設された円板磁石の積層体を示していない、全ての円板磁石の上部、外側、および下部の環状面を通って並列に流体が通過できるようにする個別のハウジングの、好ましい実施形態の分解図である。
【図３２】インサートが間に具設された円板磁石の積層体を示していない、各円板磁石の上部、外側、および下部の環状面を通って直列に流体が通過できるようにする個別のハウジングの、好ましい実施形態の分解図である。
【図３３】流体がリング磁石の上部環状面に沿った２つの環状通路を通って流れる、そのリング磁石の上にある仕切壁の好ましい実施形態の分解図である。
【図１】
2009533219.tif 000003
【図２】
2009533219.tif 000004
【図３】
2009533219.tif 000005
【図３Ａ】
2009533219.tif 000006
【図４】
2009533219.tif 000007
【図５】
2009533219.tif 000008
【図６】
2009533219.tif 000009
【図６Ａ】
2009533219.tif 000010
【図７】
2009533219.tif 000011
【図８】
2009533219.tif 000012
【図９】
2009533219.tif 000013
【図１０】
2009533219.tif 000014
【図１１】
2009533219.tif 000015
【図１２】
2009533219.tif 000016
【図１３】
2009533219.tif 000017
【図１３Ａ】
2009533219.tif 000018
【図１４】
2009533219.tif 000019
【図１５】
2009533219.tif 000020
【図１６】
2009533219.tif 000021
【図１７】
2009533219.tif 000022
【図１８】
2009533219.tif 000023
【図１９】
2009533219.tif 000024
【図２０】
2009533219.tif 000025
【図２１】
2009533219.tif 000026
【図２２】
2009533219.tif 000027
【図２３】
2009533219.tif 000028
【図２４】
2009533219.tif 000029
【図２５】
2009533219.tif 000030
【図２６】
2009533219.tif 000031
【図２７】
2009533219.tif 000032
【図２８】
2009533219.tif 000033
【図２９】
2009533219.tif 000034
【図３０】
2009533219.tif 000035
【図３１】
2009533219.tif 000036
【図３２】
2009533219.tif 000037
【図３３】
2009533219.tif 000038
【国際調査報告】
2009533219.tif 000039
2009533219.tif 000040